(57)【要約】【課題】静止画像と動画を対比して見やすいように表示画面に配置できる電子フォトアルバムを提供する。【解決手段】動画記録中に記録された静止画に対応する動画の再生コマにマーキング情報が付与された動画データがＲＡＭ８に記憶されている。第１表示装置１１にはＲＡＭ８から読み出した動画が再生表示されるとともに、現在再生表示している動画の再生コマに付与されているマーキング情報で特定される静止画をＲＡＭ８から読み出して第２表示装置１２に表示する。見開き型の電子フォトアルバム１００の左右には、動画と対応する静止画の両方が同時に表示されることになり、動画と該動画の撮影中に撮影した静止画の同時鑑賞が可能となる。【選択図】  図６
2006094253.tif 000002
【特許請求の範囲】
【請求項１】
画像を表示する第１表示装置を配置した略板状の第１アルバム部と、
画像を表示する第２表示装置を配置した略板状の第２アルバム部と、
動画の再生コマに静止画を対応づけて記憶する記憶部と、
動画の再生指示を受け付ける操作部と、
前記動画の再生指示に応じて前記動画を前記第１表示装置に再生表示させるとともに、現在再生されている再生コマに対応する静止画を前記第２表示装置に表示させる表示制御部と、
を備える電子フォトアルバム。
【請求項２】
前記再生コマからサムネイル画像を作成するサムネイル画像作成部をさらに備える請求項１に記載の電子フォトアルバム。
【請求項３】
前記サムネイル画像作成部は前記動画を所定の長さで分割した再生セクションに含まれる再生コマから前記サムネイル画像を作成する請求項２に記載の電子フォトアルバム。
【請求項４】
前記操作部は前記動画から分割すべき再生セクションの数である分割数の指定を受け付け、
前記サムネイル画像作成部は前記動画の総再生時間を前記分割数で除した時間的長さで前記動画を分割した再生セクションに含まれる再生コマから前記サムネイル画像を作成する請求項３に記載の電子フォトアルバム。
【請求項５】
前記操作部は前記サムネイル画像の選択を受け付け、
前記表示制御部は前記選択されたサムネイル画像を含む再生セクションを再生表示する請求項３又は４に記載の電子フォトアルバム。
【請求項６】
前記表示制御部は現在再生されている再生セクションから作成されたサムネイル画像を前記第２表示装置に強調表示させる請求項３〜５のいずれかに記載の電子フォトアルバム。
【請求項７】
前記記憶部は前記動画の撮影中に撮影された静止画を所定の縮小率で縮小したサムネイル画像と前記静止画の撮影と同時に撮影された再生コマとを対応づけて記憶する請求項１に記載の電子フォトアルバム。
【請求項８】
前記操作部は前記サムネイル画像の選択を受け付け、
前記表示制御部は前記選択されたサムネイル画像に対応する再生コマから動画を再生表示する請求項７に記載の電子フォトアルバム。
【請求項９】
前記表示制御部は前記サムネイル画像を前記第２表示装置に一覧表示させる請求項７又は８に記載の電子フォトアルバム。
【請求項１０】
前記表示制御部は現在再生されている再生コマに対応するサムネイル画像を強調表示する請求項９に記載の電子フォトアルバム。
【請求項１１】
前記表示制御部は前記動画の再生進行状況を示す進行情報を前記第１表示装置又は前記第２表示装置に表示させる請求項１に記載の電子フォトアルバム。
【請求項１２】
前記表示制御部は前記動画の撮影中に撮影された静止画の撮影タイミングを示す情報を前記進行情報と関連させて表示させる請求項１１に記載の電子フォトアルバム。
【発明の詳細な説明】
【技術分野】
【０００１】
本発明は携帯型の電子フォトアルバムに係り、特に動画を再生表示できる電子フォトアルバムに関する。
【背景技術】
【０００２】
従来、様々な携帯型の電子フォトアルバムが考案されている。例えば特許文献１の電子アルバムは、画像を表示させる第１表示部を有する表紙部と、画像を表示させる第２表示部を有する裏表紙部と、第１表示部と第２表示部を見開き状態にして表紙部と裏表紙部を回動自在に連結する連結部を備えている。このため、画像データに基づいて表示される画像を第一表示部及び第二表示部を通じて見開き状態で見ることができ、一度に多くの画像を同時に見ることができる。
【特許文献１】特開２００１−１００８６４号公報
【発明の開示】
【発明が解決しようとする課題】
【０００３】
ところで、近年ではデジタル静止画表示技術のみならずデジタル動画再生技術も広く普及しているが、特許文献１の技術では、このような技術を有効に利用しないまま表示部に複数の静止画像を配列表示させているだけである。本発明はこのような問題点に鑑みてなされたもので、静止画像と動画を対比して見やすいように表示画面に配置できる電子フォトアルバムを提供することを目的とする。
【課題を解決するための手段】
【０００４】
上述の課題を解決するため、本願発明に係る電子フォトアルバムは、画像を表示する第１表示装置を配置した略板状の第１アルバム部と、画像を表示する第２表示装置を配置した略板状の第２アルバム部と、動画の再生コマに静止画を対応づけて記憶する記憶部と、動画の再生指示を受け付ける操作部と、動画の再生指示に応じて動画を第１表示装置に再生表示させるとともに、現在再生されている再生コマに対応する静止画を第２表示装置に表示させる表示制御部とを備える。
【０００５】
この発明によると、動画が第１表示装置に表示されるとともに、現在再生されている動画の再生コマに対応する静止画が第２表示装置に表示され、両者を対比して見ることが可能である。
【０００６】
この電子フォトアルバムは、再生コマからサムネイル画像を作成するサムネイル画像作成部をさらに備えてもよい。サムネイル画像作成部は、動画を所定の長さで分割した再生セクションに含まれる再生コマからサムネイル画像を作成してもよい。
【０００７】
また、操作部は動画から分割すべき再生セクションの数である分割数の指定を受け付け、サムネイル画像作成部は動画の総再生時間を分割数で除した時間的長さで動画を分割した再生セクションに含まれる再生コマからサムネイル画像を作成してもよい。
【０００８】
操作部はサムネイル画像の選択を受け付け、表示制御部は選択されたサムネイル画像を含む再生セクションを再生表示してもよい。
【０００９】
表示制御部は現在再生されている再生セクションから作成されたサムネイル画像を第２表示装置に強調表示させてもよい。
【００１０】
また、記憶部は動画の撮影中に撮影された静止画を所定の縮小率で縮小したサムネイル画像と静止画の撮影と同時に撮影された再生コマとを対応づけて記憶してもよい。
【００１１】
操作部はサムネイル画像の選択を受け付け、表示制御部は選択されたサムネイル画像に対応する再生コマから動画を再生表示してもよい。
【００１２】
表示制御部はサムネイル画像を第２表示装置に一覧表示させてもよい。
【００１３】
表示制御部は現在再生されている再生コマに対応するサムネイル画像を強調表示してもよい。
【００１４】
表示制御部は動画の再生進行状況を示す進行情報を第１表示装置又は第２表示装置に表示させてもよい。
【００１５】
表示制御部は動画の撮影中に撮影された静止画の撮影タイミングを示す情報を進行情報と関連させて表示させてもよい。
【発明の効果】
【００１６】
この発明によると、動画が第１表示装置に表示されるとともに、現在再生されている動画の再生コマに対応する静止画が第２表示装置に表示され、両者を対比して見ることが可能である。
【発明を実施するための最良の形態】
【００１７】
以下、添付した図面を参照し本発明の好ましい実施の形態を説明する。
【００１８】
＜第１実施形態＞
［概略構成］
図１は本発明の好ましい実施形態に係る見開き型の電子フォトアルバム１００を正面から見た状態を示す。この図に示すように、電子フォトアルバム１００（以下単にアルバム１００と称する）は、それぞれ外枠がプラスチック製の部材などで構成された略板状の第１アルバム部１及び第２アルバム部２で構成され、第１アルバム部１の一端１ａと第２アルバム部２の一端２ａとが蝶番機構３で回動自在に連結されている。第１アルバム部１、第２アルバム部２の一面にはそれぞれ第１表示装置１１・第２表示装置１２が配置されており、蝶番機構３を回動させることで第１表示装置１１と第２表示装置１２を見開き型に配列させる（以下この動作を単に「アルバム１００を開く」と表現する）ことができる。あるいは、蝶番機構３を回動させることで第１表示装置１１と第２表示装置１２の表示面同士が対向するように第１アルバム部１と第２アルバム部２を閉じる（以下この動作を単に「アルバム１００を閉じる」と表現する）こともできる。第１表示装置１１及び第２表示装置１２は記憶型液晶（コレステリック液晶）で構成されることが好ましい。下記の説明において第１表示装置１１と第２表示装置１２を区別する必要がない場合、両者をまとめて表示装置Ｄと表す。
【００１９】
第１アルバム部１の一端１ａ側には、アルバム１００が閉じたこと又は開いたことを、第２アルバム部２の一端２ａ側による押しボタン２５ａの押下又は押下の解除で検出する開閉検出スイッチ２５が設けられている。第２表示装置１２には透明なタッチパネル２１が積層されている。第１アルバム部１の他端１ａには逆送りタッチセンサ１３が設けられ、第２アルバム部２の他端２ｂには順送りタッチセンサ１４が設けられている。第１アルバム部１には、第１表示装置１の表示面と同一面で他端１ｂ寄りの側面１ｃに配置された２チャンネルステレオ左側音声再生用のＬｃｈスピーカ１５Ｌが設けられている。第２アルバム部２には、第２表示装置２の表示面と同一面で他端２ｂ寄りの側面２ｃに配置された２チャンネルステレオ右側音声再生用のＲｃｈスピーカ１５Ｒが設けられている。このため、アルバム１００を開くと、Ｒｃｈスピーカ１５Ｒ及びＬｃｈスピーカ１５Ｌは、音声がユーザの左右の耳に良好に到達するような位置となる。さらに側面２ｃにはマイク２７と操作ボタン部１６が設けられている。操作ボタン部１６は、セレクトボタン１７と、ページ送りボタン１８と、電源ボタン１９と、音量ボタン２０とを含んでいる。マイク２７や操作ボタン部１６は側面１ｃに設けてもよい。
【００２０】
第２アルバム部２の他端２ｂには、メモリカードなどの外部記憶媒体４０を挿入するためのメディアスロット２２とＵＳＢコネクタやＬＡＮカードなどで構成された通信インターフェース２３が設けられている。メディアスロット２２の内部には記憶媒体４０の挿入又は抜き取りを検出する挿抜検出部２４が設けられている。
【００２１】
［機能構成］
（電子フォトアルバム）
図２はアルバム１００の機能ブロック図である。アルバム１００は、ＭＣＵ（Microcontroller Unit、所謂ワンチップマイコン）などで構成され各種演算及び演算に必要なデータの一時記憶を行なう制御部７と、表示コントローラ３２と、Ｒ／Ｗ制御部３３と、通信インターフェース２３を介して通信を行う通信部３５と、内蔵バッテリーや家庭用電源などによりアルバム１００の各所に電力を供給する電力供給部２６と、半導体記憶装置やハードディスクユニットなどで構成された大容量の記憶装置３６と、ＲＡＭ８に記憶された画像に所定の画像加工処理を実行する画像処理部３７とを備える。制御部７、通信部３５、記憶装置３６、Ｒ／Ｗ制御部３３、表示コントローラ３２、電力供給部２６及び画像処理部３７はバス３４で接続されている。電力供給部２６は待機状態即ちアルバム１００が使用されていない場合でも制御部７及び開閉検出スイッチ２５に電力を供給することができる。その他の各所への電力供給は制御部７の指示に応じて開始・終了する。各所への電力供給が行われている状態即ちアルバム１００が使用されている状態を動作状態という。
【００２２】
制御部７は、逆送りタッチセンサ１３、順送りタッチセンサ１４、選択ボタン１７、ページ送りボタン１８、電源ボタン１９、音量ボタン２０、タッチパネル２１、挿抜検出部２４、開閉検出スイッチ２５と接続されており、各部からの信号を入力する。開閉検出スイッチ２５の押しボタン２５ａは、アルバム１００を閉じたときに押下されるように配置されている。そして、押しボタン２５ａが押下された場合はアルバム１００が閉じられたことを示す信号を、押下が解除された場合はアルバム１００が開かれたことを示す信号をそれぞれ制御部７に出力する。
【００２３】
逆送りタッチセンサ１３及び順送りタッチセンサ１４は、それぞれユーザの指などの物体の接触があったことを検出して検出信号を制御部７に出力する。電源ボタン１９は、電力供給部２６に電力供給のオン・オフを指示するスイッチであり、電源オン・オフを示す信号を制御部７に入力する。セレクトボタン１７は、記憶媒体４０から読み込んだ画像（動画及び静止画を含む）の選択など各種の選択を行うボタンであり、特に用途は限定されない。ページ送りボタン１８は順送りボタン１８ａと逆送りボタン１８ｂとを有している。挿抜検出部２４は記憶媒体４０が挿入口１０に挿入されたことまたは挿入口１０から取り出されたことを検出する。挿抜検出部２４はＲ／Ｗ制御部３３に設けてもよい。
【００２４】
タッチパネル２１はそれぞれ縦横方向の各々に沿ってマトリクス状に所定の抵抗値を有しており、ユーザの指などの物体が接触すると上記の抵抗値が変化し、このときの電流値の変化を検出することで物体の接触位置を検出することができ、特に第２表示装置１２に表示された画像の表示位置に物体を接触させることでその画像を選択することができる。選択ボタン１７などで第２表示装置１２の表示画像を選択させる態様も可能である。
【００２５】
制御部７はタッチパネル２１の検出した接触位置に応じて各種処理を開始させることができる。操作ボタン部１６に含まれる各ボタンに相当するボタンを第２表示部１２に表示し、それらのボタンの押下をタッチパネル２１で検出し、検出結果に応じて操作ボタン部１６の押下に相当する処理を行ってもよい。
【００２６】
Ｒ／Ｗ制御部３３は、メディアスロット２２に挿入された記憶媒体４０に記憶される画像を読み出し、また画像を記憶媒体に書き込む。画像は通信部３５から受信してもよく、以下の記述において記憶媒体４０に記憶される画像を通信部３５が受信した画像と置き換えてもアルバム１００の動作内容は同様である。
【００２７】
表示コントローラ３２は、記憶媒体４０から読み込んだ画像を表示装置Ｄに表示させる。アルバム１００を開いた状態で順送りタッチセンサ１４への接触操作を行うと、現在表示されている画像よりも後の表示順序が付与された画像を表示装置Ｄに表示する（順送り）。一方、アルバム１００を開いた状態で逆送りタッチセンサ１３への接触操作を行うと、現在表示されている画像よりも前の表示順序が付与された画像を表示装置Ｄに表示する（逆送り）。このように、逆送りタッチセンサ１３又は順送りタッチセンサ１４への接触操作とアルバム１００の開閉で、表示装置Ｄに表示される画像を通常の写真アルバムと同様に進めたり戻したりできる。表示順序は後述の撮影日時情報に従って定まり、撮影日時の古いものから新しいものへ画像をソートする順序が表示順序に相当する。
【００２８】
音声コントローラ３１は、音声データを左右のアナログオーディオ信号（２チャンネルステレオ信号）へ変換し、左右の信号をそれぞれＬｃｈスピーカ１５Ｌ、Ｒｃｈスピーカ１５Ｒに出力し、Ｌｃｈスピーカ１５Ｌ、Ｒｃｈスピーカ１５Ｒはこの信号に従って音声を出力する。Ｌｃｈスピーカ１５ＬとＲｃｈスピーカ１５Ｒをまとめてスピーカ１５で表す。音声コントローラ３１はノイズとなる高い周波数成分をアナログオーディオ信号から除去する処理やアナログオーディオ信号を増幅する処理を行なってもよい。無論、音声コントローラ３１は、２チャンネルステレオ以外の形態（ドルビーデジタル5.1チャンネルなど）に対応させてもよい。
【００２９】
マイク２７からは、記憶媒体４０から読み込んだ画像に対応づけるタイトルやナレーションなどを音声入力できる。音声コントローラ３１は、マイク２７から入力されたアナログ音声信号をデジタル音声データに変換してＲＡＭ８に出力する。記憶装置３６は大容量のハードディスクユニットなどで構成され、記憶媒体４０から読み込まれた画像・音声データや通信部３５の受信した画像・音声データを記憶する。
【００３０】
（デジタルカメラ）
図３は本発明に係るデジタルカメラ２００の機能ブロック図である。同図において、中央処理装置（ＣＰＵ）１１２は、シャッタボタン１０２、モード切替えレバー１０６等の各種のボタンやキーからの入力に基づいてデジタルカメラ２００内の各回路を統括制御する。角度情報検出部１５２は、角度、角速度あるいは角加速度等の角度情報を検出できるセンサであり、例えば角速度センサを正三角柱振動子と圧電セラミックを用いた圧電振動ジャイロセンサにより構成することが可能である。ＧＰＳ（Global Positioning System）装置１５１は、地球の上空を周回している複数のＧＰＳ衛生から同時に発信される電波を、内蔵されたアンテナにより受信する。そして、それぞれの衛生から発信された電波がＧＰＳ装置１５１に到達するまでの時間差を求めることによって、現在位置情報を求める。タイマ１５３は現在日時を出力する装置である。
【００３１】
いま、モード切替えレバー１０６によって撮影モードが設定されると、ＣＰＵ１１２は、動画（スルー画）を画像表示装置１１０に表示させ、撮影画角を確認可能にする。即ち、絞り１１６及び撮影レンズ１１８を通過した被写体光は、撮像素子（ＣＣＤ）１２０の受光面上に結像する。ＣＣＤ１２０は、受光面に結像された被写体光をその光量に応じた量の信号電荷に変換する。このようにして蓄積された信号電荷は、ＣＰＵ１１２の指令に従いタイミングジェネレータ１２１から与えられる駆動パルスに基づいて信号電荷に応じた電圧信号（画像信号）として順次読み出される。
【００３２】
ＣＣＤ１２０から出力された信号はアナログ処理部（ＣＤＳ／ＡＭＰ）１２２に送られ、ここで画素ごとのＲ，Ｇ，Ｂ信号がサンプリングホールド（相関二重サンプリング処理）され、増幅された後、Ａ／Ｄ変換器１２４に加えられる。Ａ／Ｄ変換器１２４によってデジタル信号に変換された点順次のＲ，Ｇ，Ｂ信号は、画像入力コントローラ１２６を介してメモリ（ＳＤＲＡＭ）１２８に記憶される。尚、メモリ１２８は、画像データの一時記憶領域として利用されるとともに、プログラムの展開領域及びＣＰＵ１１２の演算作業用領域として利用される。
【００３３】
画像信号処理回路１３０は、メモリ１２８に記憶されたＲ，Ｇ，Ｂ信号をＣＰＵ１１２の指令に従って処理する。即ち、画像信号処理回路１３０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ１１２からのコマンドに従ってメモリ１２８を活用しながら所定の信号処理を行う。
【００３４】
画像信号処理回路１３０に入力されたＲ、Ｇ、Ｂ信号は、輝度信号（Ｙ信号）及び色差信号（Ｃr,Ｃb 信号）に変換されるとともに、ガンマ補正等の所定の処理が施される。画像信号処理回路１３０で処理されたＹＣ信号はＶＲＡＭ１３２に格納される。
【００３５】
撮影画像を画像表示装置１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して画像表示装置１１０に出力する。
【００３６】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が画像表示装置１１０に供給されることにより、撮像中の映像がリアルタイムに画像表示装置１１０に表示される。ユーザは、画像表示装置１１０に表示される映像（スルー）によって撮影画角を確認できる。
【００３７】
ここで、シャッタボタン１０２が半押しされると、ＡＥ及びＡＦ処理が開始される。即ち、ＣＣＤ１２０から出力された画像信号はＡ／Ｄ変換後に画像入力コントローラ１２６を介してＡＦ検出回路１３６並びにＡＥ／ＡＷＢ検出回路１３８に入力される。
【００３８】
ＡＥ／ＡＷＢ検出回路１３８は、１画面を複数のエリア（例えば、１６×１６）に分割し、分割エリアごとにＲＧＢ信号を積算する回路を含み、その積算値をＣＰＵ１１２に提供する。ＣＰＵ１１２は、ＡＥ／ＡＷＢ検出回路１３８から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ１１２はタイミングジェネレータ１２１を介してＣＣＤ１２０の電子シャッタを制御するとともに、モータドライバ１４０を介して絞り１１６を制御して適正な露光量を得る。
【００３９】
また、ＡＥ／ＡＷＢ検出回路１３８は、自動ホワイトバランス調整時には、分割エリアごとにＲＧＢ信号の色別の平均積算値を算出し、その算出結果をＣＰＵ１１２に提供する。ＣＰＵ１１２は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１（つまり、１画面においてＲＧＢの積算比率がＲ：Ｇ：Ｂ≒１：１：１）になるように、ホワイトバランス調整回路のＲ，Ｇ，Ｂ信号に対するゲイン値（ホワイトバランス補正値）を制御し、各色チャンネルの信号に補正をかける。
【００４０】
また、ＡＦ制御は、例えば画像信号のＧ信号の高周波成分が極大になるように撮影レンズ１１８を移動させるコントラストＡＦが適用される。即ち、ＡＦ検出回路１３６は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００４１】
ＡＦ検出回路１３６で求めた積算値のデータはＣＰＵ１１２に通知される。ＣＰＵ１１２は、モータドライバ１４２を制御して撮影レンズ１１８を移動させながら、複数のＡＦ検出ポイントで焦点評価値（ＡＦ評価値）を演算し、評価値が極大となるレンズ位置を合焦位置として決定する。そして、求めた合焦位置に撮影レンズ１１８を移動させるようにモータドライバ１４２を制御する。尚、ＡＦ評価値の演算はＧ信号を利用する態様に限らず、輝度信号（Ｙ信号）を利用してもよい。
【００４２】
上記ＡＥ／ＡＦ処理が行われ、シャッタボタン１０２が全押しされることによって記録用の撮影動作がスタートする。Ｓ２オンに応動して取得された画像データは画像信号処理回路１３０において輝度／色差信号（Ｙ／Ｃ信号）に変換され、ガンマ補正等の所定の処理が施された後、メモリ１２８に格納される。
【００４３】
メモリ１２８に格納されたＹ／Ｃ信号は、圧縮伸長処理回路１４４によって所定のフォーマットに従って圧縮された後、メディアコントローラ１４６を介して記憶媒体４０にExif（Exchangeable Image File Format）ファイルとして記録される。画像はExifファイルのデータ部分に記録される。カメラ２００にはパノラマスイッチ１０３が設けられており、シャッタボタン１０２の全押し待機中に通常撮影モードとパノラマ撮影モードとを切り替えて撮影を行なうことができる。パノラマ撮影モードがオンのときにシャッタボタン１０２が全押しされると、フルサイズの撮影画面の上下の所定部分を遮光してパノラマサイズにして画像を記録する。
【００４４】
一方、角度情報検出部１５２は、シャッタボタン１０２の全押し操作に連動して角度情報をＣＰＵ１１２に出力する。ＧＰＳ装置１５１は、シャッタボタン１０２の全押し操作に連動して現在位置情報を撮影位置情報としてＣＰＵ１１２に出力する。タイマ１５３は、シャッタボタン１０２の全押し操作に連動して現在日時を撮影日時情報としてＣＰＵ１１２に出力する。
【００４５】
ＣＰＵ１１２は上記Exifファイルのヘッダ部分の所定のタグ（Imagedescriptionタグなど）に角度情報、撮影位置情報、撮影日時情報を記録する。図４はExifファイルに記録された内容を概念的に示している。Exifファイルのヘッダ部分には画像を所定の縮小率で縮小したサムネイル画像も記録される。
【００４６】
モード切替えレバー１０６によって動画記録モードが設定されたときには、シャッタボタン１０２の全押し操作に連動よって録画動作がスタートし、もう一度シャッタボタン１０２を押下すると録画動作が停止する。シャッタボタン１０２を押下継続している期間、録画動作を行い、押下解除によって録画を停止するようにしてもよい。動画データは、例えばモーションＪＰＥＧ（ＭＰＥＧ）形式によって記憶媒体４０に記録される。
【００４７】
本実施形態のデジタルカメラは、録画動作中に静止画を記録することもできる。モード切替えレバー１０６によって動画・静止画同時記録モードが設定されている場合、シャッタボタン１０２の半押し操作によって録画動作がスタートする。この後、シャッタボタン１０２の全押し操作がされると、録画動作中にさらに静止画記録動作がスタートする。同時に、記録された静止画に対応する動画の再生コマにマーキング情報が付与されて動画データに記憶される。例えば、動画がＭＰＥＧ２形式ファイルで記録されるとするものとする。MPEG2ファイルは、GOP（Group of pictures）と呼ばれるデータの集まりをつなげた構造になっている。GOPは、静止画に近い情報の「Iピクチャー」、Iピクチャーを参照して動きを予測した情報の「Pピクチャー」、前後のIピクチャーとPピクチャーを参照して動きを予測した情報の「Bピクチャー」の3種類の映像データからなり、これらを規則的に並べることで動画が構成される。静止画の記録が開始すると、その静止画と対応するＩピクチャー（例えば静止画と同一又は同等の内容を持つＩピクチャー）にマーキング情報が付与される。マーキング情報は、動画中の再生コマに対応して記録された静止画を特定する情報であり、例えば静止画のＥｘｉｆファイル名といった静止画の識別情報を含む。なお、もう一度シャッタボタン１０２を押下すると録画動作が停止する。
【００４８】
モードレバー８４によって再生モードが設定されると、外部記録装置１１６から画像ファイルが読み出される。読み出された画像データは、画像処理回路１０８において伸張処理され、表示部１１４に出力される。
【００４９】
モード切替えレバー１０６により再生モードが選択されると、記憶媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のカラー複合映像信号を作成し、これを画像表示装置１１０に出力する。これにより、画像表示装置１１０には記憶媒体４０に記録されている最終コマのコマ画像が表示される。
【００５０】
その後、順コマ送りスイッチ（図示せず）が押されると、順方向にコマ送りされ、逆コマ送りスイッチ（図示せず）が押されると、逆方向にコマ送りされる。そして、コマ送りされたコマ位置の画像ファイルが記憶媒体４０から読み出され、上記と同様にしてコマ画像が画像表示装置１１０に再生される。尚、最終コマのコマ画像が表示されている状態で順方向にコマ送りされると、記憶媒体４０に記録されている１コマ目の画像ファイルが読み出され、１コマ目のコマ画像が画像表示装置１１０に再生される。
【００５１】
［処理の流れ］
以下、図５のフローチャートに従い、アルバム１００の実行する画像表示処理の流れを説明する。
【００５２】
Ｓ１では、記憶媒体４０から読み取ったＥｘｉｆファイルなどの静止画及びＭＰＥＧ−２ファイルなどの動画をＲＡＭ８に記憶する。ＲＡＭ８に記憶する静止画及び動画は通信部３５を介して受信したものであってもよい。
【００５３】
Ｓ２では、操作部１６への所定操作に応じ、表示装置Ｄへの動画再生表示を開始する。動画は、第１表示装置１１又は第２表示装置１２のいずれか一方に表示すればよいが、説明の便宜上第１表示装置１１に表示されるものとする。
【００５４】
Ｓ３では、現在再生表示している動画の再生コマにマーキング情報が付与されているか否かを判断する。マーキング情報が付与されている場合はＳ４に移行し、マーキング情報が付与されていない場合はＳ５に移行する。
【００５５】
Ｓ４では、現在再生表示している動画の再生コマに付与されているマーキング情報で特定される静止画をＲＡＭ８から読み出して第２表示装置１２に表示する。図６は、第１表示装置１１に動画が再生表示され、かつ現在再生している動画の再生コマに付与されたマーキング情報で特定される静止画が第２表示装置１２表示されている様子を示す。この図に示すように、見開き型の電子フォトアルバム１００の左右には、動画と対応する静止画の両方が同時に表示されることになり、動画と該動画の撮影中に撮影した静止画の同時鑑賞が可能となる。
【００５６】
Ｓ５では、動画が最終コマまで再生されたか否かを判断する。最終コマまで再生されていない場合はＳ２に戻って引き続き動画を再生し、最終コマまで再生された場合は動画の再生を終了する。
【００５７】
なお、図７に示すように、動画全体中のどの再生コマにマーキング情報が付与されているか、即ち動画撮影中のどのタイミングで静止画が撮影されたかを示すマーキング位置情報Ｍ１、Ｍ２、Ｍ３・・を動画ともに、あるいは動画と別個に表示してもよい。加えて図７に示すように、動画のどの部分が現在再生されているかを示す情報である進行バーＰＢを動画とともに、あるいは動画と別個に表示してもよい。
【００５８】
この場合、第２表示装置１２の静止画と第１表示装置１１の進行バーＰＢとの関係は、次のようになる。即ち、進行バーＰＢがマーキング位置情報の表示位置まで到達した場合、そのマーキング位置情報で示される位置に付与されたマーキング情報で特定される静止画が表示される。図７では、進行バーＰＢはマーキング位置情報Ｍ１まで到達しており、第２表示装置１２にはマーキング位置情報Ｍ１で示される位置に付与されたマーキング情報で特定される静止画が表示されている。マーキング位置情報Ｍ１で示される位置に付与されたマーキング情報で特定される静止画は、進行バーＰＢが次のマーキング位置情報Ｍ２に到達するまでの間継続して表示され、以下同様にしてマーキング位置情報Ｍｎ（ｎ＝１，２，３・・）で示される位置に付与されたマーキング情報で特定される静止画は、進行バーＰＢが次のマーキング位置情報Ｍｎ＋１に到達するまで表示される。
【００５９】
＜第２実施形態＞
上述の画像表示処理では、進行バーＰＢで動画のどの部分が現在再生されているかを示していたが、静止画を所定の縮小率で縮小したサムネイル画像で現在どの部分が再生されているかを示すことも可能である。
【００６０】
このような表示を行う処理は、上述の画像表示処理と同様の流れで実現できる。図８は第２実施形態に係る画像表示処理の流れを示すフローチャートである。即ち、Ｓ１１では、記憶媒体４０から読み取った静止画及び動画をＲＡＭ８に記憶し、この静止画を所定の縮小率で縮小してサムネイル画像を作成してＲＡＭ８に記憶する。無論、記憶媒体４０から読み取ったＥｘｉｆファイルのヘッダ部分にサムネイル画像が記録されていれば、これをそのままＲＡＭ８に記憶してもよい。
【００６１】
Ｓ１２では、操作部１６への所定操作に応じ、表示装置Ｄへの動画再生表示を開始するとともに、ＲＡＭ８に記憶した全てのサムネイル画像を第２表示装置１２に表示する。図１は、動画が第１表示装置１１に再生表示されており、かつサムネイル画像ｉ１、ｉ２、ｉ３、・・が第２表示装置１２に表示されている様子を示している。Ｓ１３は、上記のＳ３と同様である。
【００６２】
Ｓ１４では、現在再生表示している動画の再生コマに付与されているマーキング情報で特定されるサムネイル画像を強調表示する。図９は、現在再生表示している動画の再生コマに付与されているマーキング情報で特定されるサムネイル画像ｉ４が周囲の色の変化などで強調表示されている様子を示す。こうすることで、動画がどこまで再生されたか、即ち動画再生の進行状況をサムネイル画像の強調表示で知らせることが可能となる。
【００６３】
さらに、図９に示すように、現在再生表示している動画の再生コマ以前の再生コマに付与されているマーキング情報で特定されるサムネイル画像ｉ１〜ｉ３をあわせて強調表示してもよい。こうすることで再生済みの再生コマに対応するサムネイル画像と未再生の再生コマに対応するサムネイル画像を区別することが可能となる。Ｓ１５は上記のＳ５と同様である。
【００６４】
＜第３実施形態＞
上述の第２実施形態では、サムネイル画像で動画再生の進行状況を表示していたが、逆にサムネイル画像を用いて動画再生の進行を制御することも可能である。
【００６５】
即ち、図１あるいは図９のように、第２表示装置１２に表示されているサムネイル画像の表示位置に押圧を加えると、第２表示装置１２に積層されたタッチパネル２１がこの押圧位置を検知する。図１に示すように、押圧の検知された位置に表示されているサムネイル画像をフレームＦなどで示してもよい。表示コントローラ３２は、押圧の検知された位置に表示されたサムネイル画像を特定するマーキング情報の付与された再生コマから動画を再生表示する。こうすれば、サムネイル画像によって動画の再生箇所を指定することができ便利である。
【００６６】
さらに、複数のサムネイル画像を選択できるようにし、選択されたサムネイル画像を特定するマーキング情報の付与された再生コマから、選択されなかったサムネイル画像を特定するマーキング情報の付与された直近の再生コマまでを順次連続再生することもできる。
【００６７】
例えば、図１０に示すように、複数のサムネイル画像ａ、ｄ、ｈ、ｉが選択されたとすると、サムネイル画像ａを特定するマーキング情報の付与された再生コマＡからサムネイル画像ｂを特定するマーキング情報の付与された再生コマＢまでの再生セクションＡＢを再生し、この再生が終了すると引き続きサムネイル画像ｄを特定するマーキング情報の付与された再生コマＤからサムネイル画像ｅを特定するマーキング情報の付与された再生コマＥまでの再生セクションＤＥを再生する。同様にして、この再生が終わると引き続きサムネイル画像ｈを特定するマーキング情報の付与された再生コマＨからサムネイル画像ｉを特定するマーキング情報の付与された再生コマｉまでの再生セクションＨＩなどを再生する。図１１は、図１０のようにサムネイル画像が選択された場合に再生される再生セクションＡＢ、ＤＥ、ＨＩ、ＩＪを模式的に示している。このように、複数のサムネイル画像を選択して見たい再生セクションを指定し、再生セクションを順次再生することができる。
【００６８】
＜第４実施形態＞
動画と静止画が同時記録可能なカメラ２００で記録した動画とサムネイル画像をＲＡＭ８に読み込むのではなく、カメラ２００で動画のみを記録し、この動画の再生コマから対応するサムネイル画像を作成し、作成したサムネイル画像を動画再生と同時に表示することもできる。動画がＭＰＥＧ２形式ならばIピクチャーを所定の縮小率で縮小してサムネイル画像を作成すればよい。
【００６９】
ここで、サムネイル画像には、上述のように動画の再生開始位置を指定する機能を付与する関係上、ＤＶＤコンテンツのチャプター機能のように一定の時間的長さを有する動画を適度な間隔（再生セクション）で区切り、その再生セクションに含まれる再生コマからサムネイル画像を作成することが好ましい。
【００７０】
図１１は、動画を適当な間隔で区切ってサムネイル画像を作成するためのサムネイル画像作成処理の流れを示す。Ｓ２１では、動画ファイルを区切る数を示す分割数の入力を操作部１６から受け付ける。Ｓ１２では、サムネイル画像の作成元となる動画ファイルの選択を受け付ける。選択すべき動画ファイルは記憶媒体４０に記憶されている。Ｓ２３では、動画ファイルの選択を確定するか否かの入力を受け付ける。選択が確定した場合はＳ２４に移行し、確定しない場合はＳ２２に戻って再び動画ファイルの選択を受け付ける。
【００７１】
Ｓ２４では、選択された動画ファイルのヘッダ等に記憶された総再生時間を読み込む。Ｓ２５では、総再生時間を分割数で割った分割時間Ｔを算出する。Ｓ２６では、動画の再生開始位置から分割時間Ｔずつ経過した位置に相当する各再生コマからサムネイル画像を作成する。例えば、Ｓ２１で分割数＝６を指定すると、図１３に示すように、動画の再生時間を再生開始位置から再生終了位置まで６等分してできる再生時間の長さＴの６つの再生セクションの最初ないし最後の任意の位置にある再生コマから６つのサムネイル画像ｉstr及びｉ１〜ｉ５が作成される。必要であれば、動画の再生終了位置に相当する再生コマからサムネイル画像ｉendを作成してもよい。Ｓ２８では、作成したサムネイル画像を表示装置Ｄに一覧表示する。
【００７２】
以上のように、動画の再生時間を適度な間隔で区切った再生セクションに含まれる再生コマからサムネイル画像を作成しておけば、第３実施形態のようにサムネイル画像の選択で動画再生位置を選択させる場合、動画再生開始の位置を容易に選択でき、好きな位置から動画再生を素早く開始させることができる。
【図面の簡単な説明】
【００７３】
【図１】本発明の好ましい実施形態に係る電子フォトアルバムの外観図
【図２】電子フォトアルバムの機能構成図
【図３】本発明の好ましい実施形態に係るデジタルカメラの機能構成図
【図４】Ｅｘｉｆファイルに記録される内容を例示した図
【図５】第１実施形態の画像表示処理の流れを示すフローチャート
【図６】動画と静止画を表示した状態を示す図
【図７】動画の再生進行状況を表示した状態を示す図
【図８】第２実施形態の画像表示処理の流れを示すフローチャート
【図９】動画とサムネイル画像を表示した状態を示す図
【図１０】複数のサムネイル画像を選択した状態を示す図
【図１１】複数のサムネイル画像を選択した場合の再生セクションを示す図
【図１２】サムネイル画像作成処理の流れを示すフローチャート
【図１３】動画の再生時間を再生開始位置から再生終了位置まで等分してできる再生時間の長さＴの再生セクションを示す図
【符号の説明】
【００７４】
７：制御部、８：ＲＡＭ、１１：第１表示装置、１２：第２表示装置、１３：逆送りタッチセンサ、１４：順送りタッチセンサ、１５：スピーカ、２１：タッチパネル、２４：挿抜検出部、２５：開閉検出スイッチ、３６：記憶装置、３７：画像処理部、４０：記憶媒体
【図１】
2006094253.tif 000003
【図２】
2006094253.tif 000004
【図３】
2006094253.tif 000005
【図４】
2006094253.tif 000006
【図５】
2006094253.tif 000007
【図６】
2006094253.tif 000008
【図７】
2006094253.tif 000009
【図８】
2006094253.tif 000010
【図９】
2006094253.tif 000011
【図１０】
2006094253.tif 000012
【図１１】
2006094253.tif 000013
【図１２】
2006094253.tif 000014
【図１３】
2006094253.tif 000015